(57)【特許請求の範囲】
【請求項１】
くぎ等の固定素子（１）を保持するための一連のガイドスリーブ（２）が互いに離間して整列配置され、互いに隣接するガイドスリーブ（２）が所定の領域（８）を有する結合ウェブ（３）を介して互いに結合され、ガイドスリーブ（２）の長手方向軸線から前記領域（８）までの半径方向間隔がガイドスリーブ（２）の半径方向における最大寸法よりも大とされている固定素子マガジンにおいて、結合ウェブ（３）の前記領域（８）は、ガイドスリーブ（２）の長手方向軸線に対して平行な方向に測った高さ（Ｈ）が、ガイドスリーブ（２）の長手方向軸線に対して垂直であり、かつ、マガジンの長手方向に対して垂直な方向に測った幅（Ｂ）よりも小とされ、さらに、ガイドスリーブ（２）の両端部領域（Ｅ１，Ｅ２）間における中心領域（Ｚ）の半径方向寸法が、各端部領域（Ｅ１，Ｅ２）の半径方向寸法よりも小とされていることを特徴とする固定素子マガジン。
【請求項２】
請求項１記載の固定素子マガジンにおいて、結合ウェブの前記領域（８）が、ガイドスリーブ（２）の長手方向における中央に配置されていることを特徴とする固定素子マガジン。
【請求項３】
請求項１又は２に記載の固定素子マガジンにおいて、結合ウェブの前記領域（８）の幅（Ｂ）が、ガイドスリーブ（２）の長手方向軸線に対して垂直な方向に測った中心領域（Ｚ）の最大寸法以下とされていることを特徴とする固定素子マガジン。
【請求項４】
請求項１〜３の何れか一項に記載の固定素子マガジンにおいて、結合ウェブの前記領域（８）の幅（Ｂ）と高さ（Ｈ）の比が、１．７：１〜３．７：１であることを特徴とする固定素子マガジン。
【請求項５】
請求項１〜４の何れか一項に記載の固定素子マガジンにおいて、ガイドスリーブ（２）は、結合ウェブ（３）を補強するよう結合ウェブ（３）からガイドスリーブ（２）の端部領域（Ｅ１，Ｅ２）まで延在するリブ（７，９）を具えることを特徴とする固定素子マガジン。
【請求項６】
請求項５記載の固定素子マガジンにおいて、固定素子マガジンの長手方向と平行な方向に測ったリブ（７，９）の寸法が、前記端部領域（Ｅ１，Ｅ２）に向けて減少することを特徴とする固定素子マガジン。
【請求項７】
請求項１〜６の何れか一項に記載の固定素子マガジンにおいて、両端部領域（Ｅ１，Ｅ２）は、ガイドスリーブ（２）の長手方向軸線と平行に延在する少なくとも３本の長手方向リブ（４）を具えることを特徴とする固定素子マガジン。
【請求項８】
請求項１〜７の何れか一項に記載の固定素子マガジンにおいて、前記端部領域（Ｅ１，Ｅ２）が、少なくともガイドスリーフ（２）の端部に配置される環状フランジ（５）として形成されていることを特徴とする固定素子マガジン。
【発明の詳細な説明】
【０００１】
【技術分野】
本発明は、くぎ等の固定素子を対象とする固定素子マガジンに関するものである。
【０００２】
【背景技術】
スイス特許第588333号明細書には、くぎ等の固定素子を保持するための一連のガイドスリーブを具える打ち込み装置用固定素子マガジンが開示されている。この固定素子マガジンにおいて、互いに隣接するガイドスリーブ間には、当該ガイドスリーブを互いに結合するための結合ウェブが配置されている。この結合ウェブは、ガイドスリーブの長手方向軸線に対して平行に測った高さが垂直方向に測った幅よりも大きな領域を有している。
【０００３】
このような構成を有する既知の固定素子マガジンは、ガイドスリーブの長手方向軸線に対して平行に延在する面内でガイドレールが曲げられる打ち込み装置には使用されない。この面内では結合ウェブの高さが大きいため、固定素子マガジンが極めて高い剛性を有するからである。
【０００４】
【発明の課題】
本発明の課題は、経済的に製造可能であると共に、ガイドスリーブの長手方向軸線に対して平行に延在する面内のみで良好な屈曲特性を有し、垂直に延在する面内では高い剛性を有する固定素子マガジンを提案することにある。
【０００５】
【課題の解決手段】
この課題を解決するため、本発明は、くぎ等の固定素子を保持するための一連のガイドスリーブが互いに離間して整列配置され、互いに隣接するガイドスリーブが所定の領域を有する結合ウェブを介して互いに結合され、ガイドスリーブの長手方向軸線から前記領域までの半径方向間隔がガイドスリーブの半径方向における最大寸法よりも大とされている固定素子マガジンにおいて、結合ウェブの前記領域は、ガイドスリーブの長手方向軸線に対して平行な方向に測った高さが、ガイドスリーブの長手方向軸線に対して垂直であり、かつ、マガジンの長手方向に対して垂直な方向に測った幅よりも小とされ、さらに、ガイドスリーブの両端部領域間における中心領域の半径方向寸法が、各端部領域の半径方向寸法よりも小とされていることを特徴とするものである。
【０００６】
本発明によれば、ガイドスリーブの長手方向軸線に対して平行に測った結合ウェブの比較的小さな寸法と、ガイドスリーブの長手方向軸線に対して垂直に測った結合ウェブの比較的大きな寸法とに由来して、ガイドスリーブの長手方向軸線に対して平行に延在する面内で固定素子マガジンに良好な屈曲特性を付与すると共に、ガイドスリーブの長手方向軸線に対して垂直に延在する面内では高い剛性を付与することが可能である。
【０００７】
固定素子マガジンをガイドレールに沿って確実にガイド可能とするため、ガイドスリーブは中心領域の他に、半径方向に拡大した２個の端部領域を有する。それにより、固定素子マガジンの屈曲に必要となるガイドスリーブの離間配置が達成される。固定素子マガジンは中心領域においてガイドする。この中心領域はガイドスリーブの長手方向軸線に対して垂直な方向に測った半径方向寸法が、両端部領域の対応する寸法よりも小とされている。
【０００８】
固定素子マガジンを屈曲させる際の曲げ軸線を、ガイドスリーブの中心領域を通過して延在させるため、結合ウェブの領域はガイドスリーブの全長の中央に配置するのが有利である。
【０００９】
ガイドスリーブの長手方向軸線に対して垂直に延在する面内で固定素子マガジンの高い剛性を実現すると共に、ガイドレールに沿う固定素子マガジンの良好なガイド特性を達成するため、各結合ウェブの幅は、ガイドスリーブの長手方向軸線に対して垂直な方向に測った中心領域の寸法以下とするのが好適である。
【００１０】
結合ウェブの剛性は、異なる二平面内でその領域における結合ウェブの寸法に依存するものである。結合ウェブの幅と高さとの比は、１．７：１〜３．７：１とするのが好適である。
【００１１】
各ガイドスリーブに全体として高い剛性を付与するために、ガイドスリーブは好適には結合ウェブを補強するリブを具え、これらのリブは結合ウェブからガイドスリーブの端部領域まで延在する。
【００１２】
各ガイドスリーブを、その長手方向軸線に対して平行に延在する面内で相互に旋回可能とするため、固定素子マガジンの長手方向と平行な方向に測ったリブの寸法は端部領域に向けて減少させるのが有利である。
【００１３】
打ち込み装置のガイドチューブ内で各ガイドスリーブを容易に、しかも低摩擦でガイド可能とするために、両端部はガイドスリーブの長手方向軸線に対して平行に延在する少なくとも３個の長手方向リブを具えるのが有利である。
【００１４】
端部領域を、少なくともガイドスリーブの端部において、環状フランジとして形成することにより、ガイドチューブ内で各ガイドスリーブを特に安定した条件下でガイド可能とするのが好適である。
【００１５】
【好適な実施形態】
以下、本発明を図示の好適な実施形態について更に具体的に説明する。
【００１６】
図１〜図３に示す固定素子マガジンは、くぎ等の固定素子１を保持する受孔６がそれぞれ中心に設けられた一連のガイドスリーブ２を具える。固定素子１は図２に示されている。ガイドスリーブ２は、互いに離間した状態で連続的に整列配置され、互いに結合されている。互いに隣接する各２個のガイドスリーブ２は、結合ウェブ３によって結合されている。結合ウェブ３は、ガイドスリーブ２の相互間に位置する領域８を有する。ガイドスリーブ２の長手方向軸線に対して平行に測った領域８の高さＨは、ガイドスリーブ２の長手方向軸線と固定素子マガジンの長手方向とに対してそれぞれ垂直な方向に測った幅Ｂよりも小とされている。
【００１７】
ガイドスリーブ２は、中心領域Ｚと、半径方向に拡大した端部領域Ｅ１，Ｅ２とを有する。端部領域Ｅ１，Ｅ２の半径方向寸法は、中心領域Ｚの半径方向寸法よりも大とされている。中心領域Ｚと各端部領域Ｅ１，Ｅ２は、それぞれ、ガイドスリーブ２の全長のほぼ１／３の長さに亙って延在する。
【００１８】
結合ウェブ３の領域８における幅Ｂは、ガイドスリーブ２の長手方向軸線に対して垂直に測った中心領域Ｚの寸法のほぼ半分に相当する。両端部領域Ｅ１，Ｅ２は、ガイドスリーブ２の端部において、環状フランジ５として形成されている。各端部領域Ｅ１，Ｅ２のフランジ５に接する部位に４本のリブ４を形成する。これらのリブ４の外周輪郭形状は、フランジ５の外周輪郭形状とほぼ一致する。各２本のリブ４は、ガイドスリーブ２の長手方向軸線と、ガイドスリーブ２の固定素子マガジンの長手方向の両者に対して垂直に、ガイドスリーブ２の対向する２面から突出する配置とされている。
【００１９】
ガイドスリーブ２における各結合ウェブ３は、結合ウェブ３からガイドスリーブ２の端部領域Ｅ１，Ｅ２まで延在するリブ９によって補強される。
【００２０】
固定素子マガジンの端部におけるリブ７は、ガイドスリーブ２の長手方向軸線に対する角度Ｗを４°として、結合ウェブ３からフランジ５まで延在する。
【００２１】
本発明による固定素子マガジンは好適にはプラスチック射出部品として製造され、全てのガイドスリーブ２が結合ウェブ３を介して互いに一体的に結合されている。結合ウェブ３の領域８は、固定素子の打ち込みに際して破断させる予定破断個所とされている。
【図面の簡単な説明】
【図１】  本発明による固定素子マガジンを、固定素子の非装着状態で示す略図である。
【図２】  図１の領域IIの拡大図である。
【図３】  図１の固定素子マガジンの端部を示す拡大図である。
【符号の説明】
１  固定素子
２  ガイドスリーブ
３  結合ウェブ
４  リブ
５  フランジ
６  受孔
７，９  リブ
８  ガイドスリーブ間の領域
【図１】
0004402767.tif 000002
【図２】
0004402767.tif 000003
【図３】
0004402767.tif 000004